(57)【要約】【課題】  上桟、下桟、及び両縦桟を枠組みした枠体にパネルや引き戸等を嵌めて成るパネル体を床面に対して垂直に起立するスタッドを介して連結する木製間仕切り装置であって、上桟、下桟が乾燥して収縮しても縦桟との間に隙間が発生しないように枠組みした木製間仕切り装置の提供。【解決手段】  縦桟４の外側には凹溝を形成し、該凹溝にスタッド１９を嵌め、下桟３は床面の金具１５にネジ止めし、上桟２は天井下地の金具１６にネジ止めすると共に上桟２と金具間には額縁１７を嵌め、額縁には天井パネル側端を載せ、さらに上記枠体を構成する為に縦桟外側面から上桟２、下桟３をボルト締めし、ボルト頭２３にはスプリングワッシャ２５を介在している。【選択図】    図６
2006097280.tif 000002
【特許請求の範囲】
【請求項１】
上桟、下桟、及び両縦桟を枠組みした枠体にパネルや引き戸等を嵌めて成るパネル体を床面に対して垂直に起立するスタッドを介して連結する木製間仕切り装置において、上記縦桟の外側には凹溝を形成し、該凹溝にスタッドを嵌め、下桟は床面の金具にネジ止めし、上桟は天井下地の金具にネジ止めすると共に上桟と金具間には額縁を嵌め、額縁には天井パネル側端を載せ、さらに上記枠体を構成する為に縦桟外側面から上桟、下桟をボルト締めし、ボルト頭にはスプリングワッシャなどの弾性体を介在したことを特徴とする木製間仕切り装置。
【請求項２】
上記上桟及び下桟の間に中桟を取着して形成した空間に２枚のパネルを所定の間隔をおいて平行に嵌め、縦桟の内側には補強材を固定すると共にパネル外側には押えを取着して上記パネルを固定した請求項１記載の木製間仕切り装置。
【請求項３】
上記上桟及び下桟の間に中桟を取着して形成した空間に２枚の引き戸をスライド可能に装着した請求項１記載の木製間仕切り装置。
【請求項４】
上記パネルに代えて掲示板又は黒板を取り付けた請求項１、請求項２記載の木製間仕切り装置。
【発明の詳細な説明】
【技術分野】
【０００１】
本発明は、学校の校舎を仕切って教室を作る場合などに据付ける木製の間仕切り装置に関するものである。
【背景技術】
【０００２】
図７は大きな部屋空間を仕切る金属製の間仕切り装置の断面を示しているが、その下端は床面に接し、上端は天井に達している。床面(イ)に固定した床レール(ロ)にはアジャスター(ハ)が配置され、このアジャスター(ハ)にて適当な高さに支持された巾木(ニ)にはパネル(ホ)、(ホ)が所定の間隔をおいて起立している。そしてパネル(ホ)、(ホ)の上端は天井パネル(ヘ)まで達し、天井パネル(ヘ)にネジ止めされた天井レール(ト)と該天井レール(ト)に取付けられたパネルガイド(チ)によって上端が支えられている。
【０００３】
両パネル(ホ)、(ホ)にて床から天井までの空間が仕切られるが、上記天井レール(ト)は天井パネル(ヘ)を取付けている下地材(リ)にネジ止めされている。そして、隣り合う各パネル(ホ)、(ホ)間にはスタッド(ル)が介在してパネル側端に設けている止着片が該スタッド(ル)にネジ止めされている。又、壁面(ワ)にはエンドレール(オ)が取着されていて、パネル側端を固定すると共に、壁面間に生じる隙間を塞いでいる。
【０００４】
ところで、このような構造の間仕切り装置は、そのパネル(ホ)、スタッド(ル)、巾木(ニ)、天井レール(ト)等の構成部材は金属製であり、オフィス等で一般に使用されている。しかし、この種の間仕切り装置を学校の教室を仕切る間仕切として使用するには、情操教育上好ましくないと言われる。近年の校舎は鉄筋コンクリートで構成され、机や椅子にしても金属製が使用されるなど、幼い子供の情緒性を損ない、不安や疲れを増すとも言われる。
【０００５】
その為に、授業への集中に欠け、構内暴力を誘発するなどの1つの原因に成っているとの見解も示されている。一方、金属製間仕切り装置は湿気を吸収したり放出する機能は無く、教室の湿度が適度に保たれないことで生徒は咽を痛めたり、インフルエンザの繁殖を抑制することも出来ない。又、金属製パネルは紫外線の反射率が高くて、目を刺激して目に負担をかけることも多く、昔の木造校舎に比較して色々な問題がある。
【０００６】
そこで、従来においては上記金属製間仕切り装置でなく、木製の間仕切り装置が開発され、一部で使用されている。例えば、特許第２５６０１７５号に係る「間仕切パネル」、特開２０００−３０３５９５号に係る「間仕切パネル」、実公平６−３４４８８号に係る「間仕切パネル」、実公平６−２３６０９号に係る「間仕切パネル」、実公平５−２４７８７号に係る「間仕切パネル」が知られている。
【０００７】
これら木製の間仕切パネルを用いて間仕切り装置が構成される訳であるが、上記パネルを用いて構成される間仕切り装置は、木材が乾燥することで収縮して突合せ面に隙間が発生する。この隙間は木製間仕切り装置の外観を損なうと共に、隙間から空気の出入があり、部屋の冷暖房効果を阻害してしまう。
【特許文献１】特許第２５６０１７５号に係る「間仕切パネル」
【特許文献２】特開２０００−３０３５９５号に係る「間仕切パネル」
【特許文献３】実公平６−３４４８８号に係る「間仕切パネル」
【特許文献４】実公平６−２３６０９号に係る「間仕切パネル」
【特許文献５】実公平５−２４７８７号に係る「間仕切パネル」
【発明の開示】
【発明が解決しようとする課題】
【０００８】
このように、従来の金属製間仕切り装置及び従来の木製間仕切り装置には上記のごとき問題がある。本発明が解決しようとする課題はこれら問題点であり、生徒の不安や疲れを少しでも和らげて、情緒性に富む木製の間仕切り装置であって、構造が簡単で製作費が安くなると共に、木材が乾燥することで収縮しても突合せ面に隙間を発生することのない木製間仕切り装置を提供する。
【課題を解決するための手段】
【０００９】
本発明の間仕切り装置は木製であって、主な構成部品であるパネル体、スタッド、及び引き戸などは木製としている。パネル体は上下桟と両縦桟にて枠組した木製枠体に2枚の木製パネルを所定の間隔を置いて互いに平行に嵌めている。そして該パネル体は床面に対して垂直に起立するスタッドを介在して互いに連結される。ここで、パネル体の縦桟側面には凹溝が形成され、スタッドは該凹溝に嵌合して連結し、隣り合うパネル体が位置ズレしないようにしている。
【００１０】
パネル体は床面に直接配置されて金具を介して固定され、間仕切の側端は壁面側に取着している金具を介して固定され、上端も同じく金具を介して固定される。そして、パネル体には中間に中桟を必要に応じて取付け、上記木製パネルの代わりに引き戸を嵌める場合もあり、又教室の間仕切であれば木製パネルを黒板や掲示板とすることもある。
【００１１】
ところで、上下桟と両縦桟にて枠組みされてボルト締めした枠体にはパネルを嵌めてパネル体が構成されが、木材の収縮により縦桟と上下桟との突合せ面には隙間が発生する。本発明ではこの隙間の発生を防止する為に、ボルト頭に弾性材を介在して締付けた構造とし、弾性材の弾性回復を利用して隙間の発生を防止している。ここで、弾性材としてはバネ座金、スプリングワッシャ、又はゴムなどが使用される。
【発明の効果】
【００１２】
本発明の木製間仕切り装置は木製パネル体を木製スタッドを介して連結するものであり、主な構成部材は全て木製である為に、従来の金属製間仕切り装置に比較して情緒性に優れ、該木製間仕切り装置で学校の教室を構成することで、生徒は勉学に集中し易い環境となる。そして木製間仕切り装置は湿気を吸収し、又放出すことが出来、仕切られた部屋空間の湿度の調整に役立つ。
【００１３】
そして、パネル体は両縦桟と上下桟がボルト締めにて枠体を有しているが、この際、ボルト頭にはバネ座金などの弾性材を介在することで、木材が乾燥して収縮しても両縦桟と上下桟との突合せ面に隙間が発生することはない。従って、木製間仕切り装置の外観が損なわれることはなく、部屋の冷暖房効果も阻害されない。一方、木製間仕切り装置のパネルとして黒板及び掲示板を取り付けることで、合理的な間仕切を作り出すことが可能となる。
【実施例】
【００１４】
図1は本発明に係る木製間仕切り装置の一部を示す正面図であり、パネル体1は上桟２、下桟３、両縦桟４，４にて枠組した枠体にて構成され、間に中桟５，５を有し、各仕切空間にはパネル６、掲示板１１、及び引き戸７，７が嵌っている。上記両縦桟４，４と上桟２、下桟３、及び中桟５，５とはボルトを介して枠組みされる。そして、このように構成したパネル体１，１・・は床面に対して垂直に起立する木製のスタッドを介して互いに連結される。
【００１５】
図2は図1におけるＡ−Ａ断面拡大図、Ｂ−Ｂ断面拡大図、Ｃ−Ｃ断面拡大図、Ｄ−Ｄ断面拡大図を夫々示している。
(ａ)Ａ−Ａ断面に示すように、パネル体1の上桟２と中桟５にて仕切られた空間には2枚の引き戸７，７が取付けられ、該引き戸７，７は中桟5の上面に沿設したレール８，８に載り、上桟２の下面に形成したガイド溝９，９に嵌ってスライドすることが出来る。引き戸7の下端には戸車を取着し、上端にはガイド溝9に嵌って移動するガイド片を形成している。そして、引き戸７は上下桟と両縦桟にて枠組した枠体に、ガラス１０が嵌っている。
(ｂ)Ｂ−Ｂ断面に示すように、中桟５，５にて仕切られた空間には2枚の掲示板１１，１１が所定の間隔を置いて、互いに平行を成して嵌っている。両掲示板１１，１１は縦桟４，４の内面に固定した補強材１２，１２を間に介在し、外側には押え１３，１３・・を取着して上記掲示板１１，１１が位置ズレしないように、又外れないようにしている。ここで、掲示板１１の代わりに黒板を嵌めることも出来る。該掲示板１１には、色々な伝達事項を記載し、伝達事項を記載した書面を貼り付け、又生徒の絵画や習字などを貼り付けることが出来る。
(ｃ)Ｃ−Ｃ断面に示すように、中桟５と下桟３にて仕切られた空間に２枚のパネル６，６が嵌っている。基本構造は前記Ｂ−Ｂ断面と同じであって、掲示板の代わりにパネル６，６が使用されている。該パネル６は木材を砕いて作った細かい木質片を接着剤にて固めたボードであり、強度が高くて非常に丈夫なパネル６であり、床面側に使用される。すなわち、該パネル６は生徒が足で蹴っても破損することはない。
(ｄ)Ｄ−Ｄ断面に示すように、図１に示す大きなパネル体１は床面から天井まで達し、間に設けた中桟５と上桟２にて仕切られた空間には(ａ)に示す２枚の引き戸７，７が開閉可能に嵌り、両中桟５,５にて仕切られた空間には(ｂ)に示す掲示板１１，１１が嵌り、又中桟５と下桟３にて仕切られた空間には(ｃ)に示すパネル６，６が嵌っている。
【００１６】
図３はパネル体１を床面に固定する構造を示しているが、下桟３はコンクリート内に埋設したボルト１４，１４・・に溶接されている金具１５にネジ止めされている。該金具１５は門形断面を成した長尺材であって、所々で上記ボルト１４，１４・・に溶接されているが、施工手順は下桟３に金具１５を前以てネジ止め固定し、該金具１５をボルト１４，１４・・に溶接したところで、コンクリートを流し込んで床面が造成される。
【００１７】
図４はパネル体１の上端と天井の連結構造であり、上桟２は天井下地に固定した金具１６にネジ止めされている。そして金具１６と上桟２との間には額縁１７，１７が嵌入し、天井パネル１８，１８の側端は該額縁１７，１７に載っている。この場合も、上桟２に金具１６を前以てネジ止めし、該金具１６が天井下地に溶接される。
【００１８】
図２(ａ)〜(ｃ)に各横断面を示しているように、各パネル体１，１・・の間にはスタッド１９，１９・・が介在している。すなわち、スタッド１９，１９・・を間に介在することでパネル体１，１・・が位置ズレすることなく連結することが出来、パネル体１の縦桟４，４の外面には凹溝が形成され、この凹溝にスタッド１９が嵌合して連結される。
【００１９】
図５は木製間仕切り装置の側端であって、壁面とパネル体１との連結構造を示している。縦桟４には金具２０がネジ止めされ、この金具２０は壁面に埋設されるボルト２１と溶接固定される。このように、パネル体１は上下桟２，３、及び縦桟４に前以て金具１５，１６，２０をネジ止めし、これら金具１５，１６，２０をボルトに溶接してパネル体１を所定の位置に支持した状態で、その後の施工が行なわれる。
【００２０】
ところで、パネル体１を構成する枠体は両縦桟４，４が上桟２、下桟３、及び中桟５，５にて連結されているが、これら木質材である上桟２、下桟３、及び中桟５，５が乾燥することで収縮し、一方縦桟４，４と上桟２、下桟３、及び中桟５，５を連結する金属製ボルトが気温上昇に伴って延びることで、該縦桟４，４と上桟２、下桟３、及び中桟５，５との突合せ面に隙間が発生する。そこで、本発明ではボルト頭にスプリングワッシャを嵌めて締付けしている。
【００２１】
図６は縦桟４ａと上桟２ａ、及びスタッド１９との連結構造を示している。縦桟４ａと上桟２ａはボルト２２にて連結され、隣のパネル体１ｂを構成する縦桟４ｂとの間にはスタッド１９が介在している。しかも、スタッド１９は縦桟４ａ，４ｂの外側面に形成した凹溝に嵌っている。このように該凹溝に嵌めたスタッド１９を間に介在することで、パネル体１ａ，１ｂが位置ズレすることなく連結することが出来る。
【００２２】
そして、縦桟４ａと上桟２ａとは縦桟４ａの外側からボルト２２にて締付けられ、ボルト頭２３には座金２４とスプリングワッシャ２５を介在している。ここで、上記スプリングワッシャ２５を介在しない場合には、上桟２ａが収縮することで縦桟４ａとの間には隙間ａが発生する。ところが、スプリングワッシャ２５を介在させることで、上桟２ａが収縮しても縦桟４ａとの間に隙間ａを発生することはない。すなわち、ボルト２２を締付けることで圧縮されたスプリングワッシャ２５が弾性回復して隙間ａを発生することなく、縦桟４ａを上桟２ａに引き寄せることが出来る。
【００２３】
同じように、下桟３と縦桟４ａとの連結、及び中桟５と縦桟４ａとの連結の場合も、ボルト頭２３にスプリングワッシャ２５を介在することで、縦桟４ａが下桟３及び中桟５側へ引き寄せられて隙間を発生することはない。そして、両パネル体１ａ，１ｂの間に介在しているスタッド１９はネジ２６にて一方側の縦桟４ａに連結されている。
【００２４】
従って、スタッド１９は左側縦桟４ａと共に移動する。同じように、パネル体１ｂにおいても、上桟２ｂが収縮しても縦桟４ｂとの間に隙間が発生することはなく、該縦桟４ｂは上桟側へ引き寄せられる。その結果、縦桟４ｂとスタッド１９との間に隙間２７が発生する。しかし、該隙間２７は外に現れるものではなく、木製間仕切り装置の外観は損なわれない。
【００２５】
このように、上桟２ａ，２ｂが収縮することで該上桟２ａ，２ｂにボルト２２，２２を介して連結している縦桟４ａ，４ｂは共に両側へ移動し、その結果、両縦桟４ａ，４ｂ間の距離Ａは拡大する。すなわち、上桟２ａ，２ｂの収縮を両縦桟４ａ，４ｂ間距離Ａの拡大に代えているが、この距離Ａの拡大は木製間仕切りの外観を損なうものではない。
【図面の簡単な説明】
【００２６】
【図１】本発明に係る木製間仕切り装置の正面図。
【図２】図１の各断面図。
【図３】パネル体の下桟固定構造。
【図４】パネル体の上桟固定構造。
【図５】パネル体の側端固定構造。
【図６】上桟と縦桟、及びスタッドの連結構造。
【図７】従来の金属製間仕切り装置。
【符号の説明】
【００２７】
１  パネル体
２  上桟
３  下桟
４  縦桟
５  中桟
６  パネル
７  引き戸
８  レール
９  ガイド溝
10  ガラス板
11  掲示板
12  補強材
13  押え
14  ボルト
15  金具
16  金具
17  額縁
18  天井パネル
19  スタッド
20  金具
21  ボルト
22  ボルト
23  ボルト頭
24  座金
25  スプリングワッシャ
26  ネジ
27  隙間
【図１】
2006097280.tif 000003
【図２】
2006097280.tif 000004
【図３】
2006097280.tif 000005
【図４】
2006097280.tif 000006
【図５】
2006097280.tif 000007
【図６】
2006097280.tif 000008
【図７】
2006097280.tif 000009